(57)【要約】   態様は、放送のコンテンツ項目へのアクセスを個別化する方法及び装置を含む。１つの態様は、モバイルデバイスの物理的近接を検出することと、モバイルデバイスのユーザを識別するモバイルデバイスからデータを受信することと、ユーザを識別するデータに基づいて少なくとも１つのローカルプロファイルを識別することと、モバイルデバイス上でユーザによってアクセスされた少なくとも１つのコンテンツ項目を識別することと、識別されたコンテンツ項目に基づいてローカルプロファイルを更新することと、ユーザプロファイルを参照することによってコンテンツ項目をユーザに引き渡すこととを備える。他の態様は、その方法及び関連した機能を実行するように構成されているシステム及び装置を含む。
2011517149.tif 000002
【特許請求の範囲】
【請求項１】
コンテンツ項目にアクセスするように構成されたアクセスデバイスによってモバイルデバイスの物理的近接を検出することと、
前記アクセスデバイスで、前記モバイルデバイスのユーザを識別する前記モバイルデバイスからデータを受信することと、
前記アクセスデバイスで、前記ユーザを識別する前記データに基づいて少なくとも１つのローカルユーザプロファイルを識別することと、
前記アクセスデバイスで、前記モバイルデバイス上で前記ユーザによってアクセスされた少なくとも１つのコンテンツ項目を識別することと、
前記アクセスデバイスで、前記識別されたコンテンツ項目に基づいて前記ローカルプロファイルを更新することと、
前記ユーザプロファイルを参照することによって前記アクセスデバイスを用いて少なくとも１つの他のコンテンツ項目を前記ユーザに引き渡すこと
を具備する、コンテンツ項目へのアクセスを個別化する方法。
【請求項２】
前記モバイルデバイスの物理的近接を検出することは、前記モバイルデバイスから前記アクセスデバイスによって受信された信号に基づいて前記モバイルデバイスに対する前記アクセスデバイスの物理的近接を検出することを備える、請求項１に記載の方法。
【請求項３】
前記モバイルデバイスの物理的近接を検出することは、指定されたネットワークインタフェースを使って前記モバイルデバイスからデータを受信することに基づいて前記モバイルデバイスの物理的近接を検出することを備える、請求項１に記載の方法。
【請求項４】
アクセスデバイスで、前記プロファイルに少なくとも部分的に基づいて少なくとも１つのマルチメディアのコンテンツ項目を識別することを更に具備する、請求項１に記載の方法。
【請求項５】
前記識別されたコンテンツ項目に基づいて少なくとも１つの他のユーザの第２のローカルプロファイルを更新することを更に具備する、請求項４に記載の方法。
【請求項６】
前記ローカルプロファイルを更新することは、前記少なくとも１つのコンテンツ項目、前記コンテンツ項目と関連づけられたカテゴリ、前記コンテンツ項目の経過した視聴時間、及び前記コンテンツ項目と関連づけられたチャネルのうちの少なくとも１つに基づいて前記ローカルプロファイルを更新することを備える、請求項１に記載の方法。
【請求項７】
前記アクセスデバイスで、前記ローカルプロファイルに少なくとも部分的に基づいて前記ローカルプロファイルと関連づけられた前記ユーザに与えるべき少なくとも１つの広告を選択することを更に具備する、請求項１に記載の方法。
【請求項８】
少なくとも１人の他のユーザの第２のローカルプロファイルを識別することと、
前記第２のプロファイルに少なくとも部分的に基づいて与えるべき少なくとも１つの広告を選択することと
を更に具備する、請求項１に記載の方法。
【請求項９】
前記モバイルデバイスから受信された前記データは、前記モバイルデバイス上で前記ユーザによって以前に見られたコンテンツ項目の少なくとも１つを示すデータを備える、請求項１に記載の方法。
【請求項１０】
前記モバイルデバイスに対して前記アクセスデバイスからの前記更新されたローカルプロファイルを通信することを更に具備する、請求項１に記載の方法。
【請求項１１】
前記ローカルプロファイルを識別することは、
前記モバイルデバイスのユーザのローカルプロファイルが利用不可能であるということを決定することと、
前記ユーザのためにデフォルトのローカルプロファイルを生成することと
を備える、請求項１に記載の方法。
【請求項１２】
デフォルトのローカルプロファイルを生成することは、少なくとも１つの他のローカルプロファイルに基づいて前記デフォルトのローカルプロファイルを生成することを備える、請求項１１に記載の方法。
【請求項１３】
モバイルデバイスの物理的近接を検出し、
前記モバイルのユーザを識別する前記モバイルデバイスからデータを受信する
ように構成されている受信機と、
マルチメディアコンテンツ項目にアクセスするための少なくとも１つのプロファイルを記憶するように構成されているストレージと、
前記ユーザを識別する前記データに基づいて前記ストレージによって記憶された前記少なくとも１つのプロファイルを識別し、
前記モバイルデバイス上で前記ユーザによってアクセスされた少なくとも１つのコンテンツ項目を識別し、
前記識別されたコンテンツ項目に基づいて前記プロファイルを更新し、
前記ユーザプロファイルを参照することによって少なくとも１つの他のコンテンツ項目を前記ユーザに引き渡す
ように構成されているプロセッサと
を具備する、コンテンツ項目にアクセスするデバイス。
【請求項１４】
前記モバイルデバイスに対して前記アクセスデバイスから前記更新されたプロファイルを通信するように構成された送信機を更に具備する、請求項１３に記載のデバイス。
【請求項１５】
前記受信機は、前記モバイルデバイスから受信された信号に基づいて前記モバイルデバイスに対する前記アクセスデバイスの物理的近接を検出するように構成されている、請求項１３に記載のデバイス。
【請求項１６】
前記受信機は、指定されたネットワークインタフェースを使って前記モバイルデバイスからデータを受信することに基づいて前記モバイルデバイスの物理的近接を検出するように構成されている、請求項１３に記載のデバイス。
【請求項１７】
前記プロファイルを更新することは、前記少なくとも１つのコンテンツ項目、前記コンテンツ項目と関連づけられたカテゴリ、前記コンテンツ項目の経過した視聴時間、及び前記コンテンツ項目と関連づけられたチャネルのうちの少なくとも１つに基づいて前記プロファイルを更新することを備える、請求項１３に記載のデバイス。
【請求項１８】
前記プロセッサは、前記プロファイルに少なくとも部分的に基づいて少なくとも１つのコンテンツ項目を識別するように更に構成されている、請求項１３に記載のデバイス。
【請求項１９】
前記プロセッサは、前記ローカルプロファイルに少なくとも部分的に基づいて与えるべき広告を識別するように更に構成されている、請求項１３に記載のデバイス。
【請求項２０】
前記プロセッサは、前記ストレージによって記憶された第２のプロファイルを識別し、
前記第２のプロファイルに少なくとも部分的に基づいて与えるべき少なくとも１つの広告を識別する
ように更に構成されている、請求項１３に記載のデバイス。
【請求項２１】
前記プロセッサは、
前記ユーザの既存のローカルプロファイルが利用不可能であるということを決定し、
前記ユーザのためにデフォルトのプロファイルを生成する
ように更に構成されている、請求項１３に記載のデバイス。
【請求項２２】
前記プロセッサは、前記ストレージによって記憶された少なくとも１つの他のプロファイルに基づいて前記デフォルトのプロファイルを生成するように更に構成されている、請求項２１に記載のデバイス。
【請求項２３】
前記モバイルデバイスから受信された前記データは、前記モバイルデバイス上で前記ユーザによって見られたコンテンツ項目の少なくとも１つを示すデータを備える、請求項１３に記載のデバイス。
【請求項２４】
モバイルデバイスの物理的近接を検出する手段と、
前記モバイルデバイスのユーザを識別する前記モバイルデバイスからデータを受信する手段と、
マルチメディアコンテンツ項目にアクセスするための少なくとも１つのプロファイルを記憶する手段と、
データを処理する手段と
を具備し、
前記処理する手段は、
前記ユーザを識別する前記データに基づいて前記記憶する手段によって記憶された前記少なくとも１つのプロファイルを識別し、
前記モバイルデバイス上で前記ユーザによってアクセスされた少なくとも１つのコンテンツ項目を識別し、
前記識別されたコンテンツ項目に基づいて前記プロファイルを更新し、
前記ユーザプロファイルを参照することによってコンテンツ項目を前記ユーザに引き渡す
ように構成されている、コンテンツ項目にアクセスするデバイス。
【請求項２５】
前記モバイルデバイスに対して前記アクセスデバイスから前記更新されたプロファイルを通信する手段を更に具備する、請求項２４に記載のデバイス。
【請求項２６】
前記検出する手段は、前記モバイルデバイスから受信された信号に基づいて前記モバイルデバイスに対する前記アクセスデバイスの物理的近接を検出するように構成されている、請求項２４に記載のデバイス。
【請求項２７】
前記検出する手段は、指定されたネットワークインタフェースを使って前記モバイルデバイスからデータを受信することに基づいて前記モバイルデバイスの物理的近接を検出するように構成されている、請求項２４に記載のデバイス。
【請求項２８】
前記プロファイルを更新することは、前記少なくとも１つのコンテンツ項目、前記コンテンツ項目と関連づけられたカテゴリ、前記コンテンツ項目の経過した視聴時間、及び前記コンテンツ項目と関連づけられたチャネルのうちの少なくとも１つに基づいて前記プロファイルを更新することを備える、請求項２４に記載のデバイス。
【請求項２９】
前記処理する手段は、前記プロファイルに少なくとも部分的に基づいて少なくとも１つのコンテンツ項目を識別するように更に構成されている、請求項２４に記載のデバイス。
【請求項３０】
前記処理する手段は、前記ローカルプロファイルに少なくとも部分的に基づいて与えるべき広告を識別するように更に構成されている、請求項２４に記載のデバイス。
【請求項３１】
前記処理する手段は、前記ストレージによって記憶された第２のプロファイルを識別し、
前記第２のプロファイルに少なくとも部分的に基づいて与えるべき少なくとも１つの広告を識別する
ように更に構成されている、請求項２４に記載のデバイス。
【請求項３２】
前記処理する手段は、
前記ユーザの既存のローカルプロファイルが利用不可能であるということを決定し、
前記ユーザのためにデフォルトのプロファイルを生成する
ように更に構成されている、請求項２４に記載のデバイス。
【請求項３３】
前記処理する手段は、前記ストレージによって記憶された少なくとも１つの他のプロファイルに基づいて前記デフォルトのプロファイルを生成するように更に構成されている、請求項３２に記載のデバイス。
【請求項３４】
前記モバイルデバイスから受信された前記データは、前記モバイルデバイス上で前記ユーザによって見られたコンテンツ項目の少なくとも１つを示すデータを備える、請求項２４に記載のデバイス。
【請求項３５】
モバイルデバイスの物理的近接を検出し、
前記モバイルデバイスのユーザを識別する前記モバイルデバイスからデータを受信し、
前記ユーザを識別する前記データに基づいて少なくとも１つのローカルプロファイルを識別し、
前記モバイルデバイス上で前記ユーザによってアクセスされた少なくとも１つのコンテンツ項目を識別し、
前記識別されたコンテンツ項目に基づいて前記ローカルプロファイルを更新し、
前記ユーザのプロファイルを参照することによってコンテンツ項目を前記ユーザに引き渡す
ためのアクセスデバイスの少なくとも１つのプロセッサによって実行可能なコードを備えるコンピュータ読み取り可能媒体を具備する、コンピュータプログラム製品。
【請求項３６】
前記モバイルデバイスから前記アクセスデバイスによって受信された信号に基づいて前記モバイルデバイスに対する前記アクセスデバイスの物理的近接を検出するための前記少なくとも１つのプロセッサによって実行可能なコードを更に備える、請求項３５に記載の製品。
【請求項３７】
指定されたネットワークインタフェースを使って前記モバイルデバイスからデータを受信することに基づいて前記モバイルデバイスの物理的近接を検出するための前記少なくとも１つのプロセッサによって実行可能なコードを更に備える、請求項３５に記載の製品。
【請求項３８】
前記プロファイルに少なくとも部分的に基づいて少なくとも１つのマルチメディアコンテンツ項目を識別するための前記少なくとも１つのプロセッサによって実行可能なコードを更に備える、請求項３５に記載の製品。
【請求項３９】
前記識別されたコンテンツ項目に基づいて少なくとも１つの他のユーザの第２のローカルプロファイルを更新するための前記少なくとも１つのプロセッサによって実行可能なコードを更に備える、請求項３８に記載の製品。
【請求項４０】
前記少なくとも１つのコンテンツ項目、前記コンテンツ項目と関連づけられたカテゴリ、前記コンテンツ項目の経過した視聴時間、及び前記コンテンツ項目と関連づけられたチャネルのうちの少なくとも１つに基づいて前記ローカルプロファイルを更新するための前記少なくとも１つのプロセッサによって実行可能なコードを更に備える、請求項３５に記載の製品。
【請求項４１】
前記ローカルプロファイルに少なくとも部分的に基づいて前記ローカルプロファイルと関連づけられた前記ユーザに与えるべき少なくとも１つの広告を選択するための前記少なくとも１つのプロセッサによって実行可能なコードを更に備える、請求項３５に記載の製品。
【請求項４２】
少なくとも１つの他のユーザの第２のローカルプロファイルを識別し、
前記第２のプロファイルに少なくとも部分的に基づいて与えるべき少なくとも１つの広告を選択する
ための前記少なくとも１つのプロセッサによって実行可能なコードを更に備える、請求項３５に記載の製品。
【請求項４３】
前記モバイルデバイスから受信された前記データは、前記モバイルデバイス上で前記ユーザによって以前に見られたコンテンツ項目の少なくとも１つを示すデータを備える、請求項３５に記載の製品。
【請求項４４】
前記モバイルデバイスに対して前記アクセスデバイスから前記更新されたローカルプロファイルを通信するための前記少なくとも１つのプロセッサによって実行可能なコードを更に備える、請求項３５に記載の製品。
【請求項４５】
前記モバイルデバイスのユーザのローカルプロファイルが利用不可能であるということを決定し、
前記ユーザのためにデフォルトのローカルプロファイルを生成する
ための前記少なくとも１つのプロセッサによって実行可能なコードを更に備える、請求項３５に記載の製品。
【請求項４６】
少なくとも他のローカルプロファイルに基づいて前記デフォルトのローカルプロファイルを生成するための前記少なくとも１つのプロセッサによって実行可能なコードを更に備える、請求項４５に記載の製品。
【発明の詳細な説明】
【関連出願】
【０００１】
この出願は、一般に通信に関し、より特に、マルチメディアデータの通信に関する。
【背景技術】
【０００２】
携帯電話ハンドセット及び他のモバイルデバイスのような電子デバイスは、スポーツ、エンターテイメント、情報プログラム、または他のマルチメディアコンテンツ項目の放送を受信するように構成されることができる。例えば、オーディオ及び／またはビデオデータは、ブロードバンド同報通信リンクを用いて電子デバイスに通信されることができる。このようなデバイス上で、改良された視聴経験を人に供給する必要がある。
【概要】
【０００３】
発明のシステム、方法及びデバイスは、めいめいに、いくつかの観点を有し、その望ましい属性に対して単独で原因となるものはたった１つもない。続く特許請求の範囲によって表現されるようにこの発明の範囲を制限することなく、そのより顕著な特徴は、今簡潔に議論されるであろう。この議論を考察した後、特に“ある態様の詳細な説明”と題されたセクションを読んだ後に、だれでも、この発明の特徴がカスタマイズされたマルチメディアアクセスを提供する改良されたユーザインタフェースを含む利点をどのように供給するかを理解するであろう。
【０００４】
１つの態様は、放送のコンテンツ項目に対するアクセスを個別化する方法を含む。その方法は、アクセスデバイスでモバイルデバイスの物理的近接を検出することと、前記アクセスデバイスで前記モバイルデバイスのユーザを識別する前記モバイルデバイスからデータを受信することと、前記アクセスデバイスで前記ユーザを識別する前記データに基づいて少なくとも１つのローカルプロファイルを識別することと、前記アクセスデバイスで前記モバイルデバイス上で前記ユーザによってアクセスされた少なくとも１つのコンテンツ項目を識別することと、前記アクセスデバイスで前記識別されたコンテンツ項目に基づいて前記ローカルプロファイルを更新することとを具備する。その方法は、前記ユーザプロファイルを参照することによって前記アクセスデバイスを用いて少なくとも１つの他のコンテンツ項目を前記ユーザに引き渡すことを更に含む。１つの態様は、その方法を実行するためのアクセスデバイスの少なくとも１つのプロセッサによって実行可能なコードを備えるコンピュータ読み取り可能媒体を具備する、コンピュータプログラム製品を含む。
【０００５】
１つの態様は、放送のコンテンツ項目にアクセスするデバイスを含む。そのデバイスは、モバイルデバイスの物理的近接を検出し、前記モバイルデバイスのユーザを識別する前記モバイルデバイスからデータを受信するように構成されている受信機を具備する。そのデバイスは、マルチメディアコンテンツ項目にアクセスするための少なくとも１つのプロファイルを記憶するように構成されているストレージを更に具備する。そのデバイスは、前記ユーザを識別する前記データに基づいて前記ストレージによって記憶された前記少なくとも１つのプロファイルを識別し、前記モバイルデバイス上で前記ユーザによってアクセスされた少なくとも１つのコンテンツ項目を識別し、前記識別されたコンテンツ項目に基づいて前記プロファイルを更新するように構成されているプロセッサを更に具備する。
【０００６】
１つの態様は、コンテンツ項目にアクセスするデバイスを含む。そのデバイスは、モバイルデバイスの物理的近接を検出する手段と、前記モバイルデバイスのユーザを識別する前記モバイルデバイスからデータを受信する手段と、マルチメディアコンテンツ項目にアクセスするための少なくとも１つのプロファイルを記憶する手段と、データを処理する手段とを具備する。前記処理する手段は、前記ユーザを識別する前記データに基づいて前記記憶する手段によって記憶された前記少なくとも１つのプロファイルを識別し、前記モバイルデバイス上で前記ユーザによってアクセスされた少なくとも１つのコンテンツ項目を識別し、前記識別されたコンテンツ項目に基づいて前記プロファイルを更新し、前記ユーザプロファイルを参照することによってコンテンツ項目を前記ユーザに引き渡すように構成されている。
【図面の簡単な説明】
【０００７】
【図１】図１は、放送プログラミングを供給するための一例のシステムを示すブロック図である。
【図２】図２は、図１に示されるようなモバイルデバイスの一例を示すブロック図。
【図３】図３は、図１に示されるようなアクセスデバイスの一例を示すブロック図。
【図４】図４は、図１に示される例のシステムのような放送のコンテンツにアクセスするためのプロファイルを識別するためにモバイルデバイスを用いる方法の一例を示すフローチャート。
【詳細な説明】
【０００８】
以下の詳細な記述は、発明のある特定の態様に導かれる。しかしながら、その発明は、特許請求の範囲によって定義され、カバーされるように多数の異なる方法において具体化されることができる。この記述において、図面に言及されており、同様な部分は、至る所で同様の数字とともに示されている。
【０００９】
オーディオ／ビデオ放送、ビデオレコーダ、または他のオーディオ−ビデオ再生デバイスにアクセスするセットトップボックスのような、マルチメディアデータにアクセスするデバイスは、カスタマイズされたインタフェースのようなサービスを供給し、及び／または個別化されたコンテンツを識別し、またはそうでなければ見る人の好みに基づいてコンテンツをカスタマイズするように構成されることができる。テレビジョンまたは他のビデオモニタに取りつけられたとき、このようなデバイスは、任意の数のメンバによってアクセスされるかもしれない。したがって、個別化サービスを供給する目的で、そのアクセスデバイスは、世帯内で特別のユーザを識別し、ローカルにまたは中央のリポジトリで、例えばユーザによって見られたコンテンツを参照することによってそのユーザと関連があるデータを維持するような、アクティビティを実行する。
【００１０】
モバイルハンドセット及びミュージック／ビデオプレーヤーのようなモバイルデバイスは、特別のユーザによってしばしば用いられる。更に、このようなモバイルデバイスは、マルチメディアコンテンツにアクセスするように構成されることができる。よって、モバイルデバイスは、特別のユーザのコンテンツの視聴経験と関連があるデータをログすることができる。このようなでは、コンテンツ識別子、ジャンル、視聴時間、インタラクションヒストリー等を含むことができる。１つの態様において、アクセスデバイスは、アクセスデバイス上でユーザプロファイルを更新するために、特別のユーザプロファイルと関連づけられた、モバイルデバイスからのこの視聴データを使用するように構成されている。アクセスデバイスは、例えばアクセスデバイスによる再生のために、プロファイルに基づいてマルチメディアコンテンツ項目を選択することができる。このように選択されたコンテンツは、放送のコンテンツ項目あるいは記憶されたコンテンツ項目とともにプレイされる広告または放送のコンテンツ項目を含むことができる。例えば、広告、映画の予告編、または他のコンテンツは、単独でまたは広告のための挿入ポイントをつけられたマルチメディアコンテンツと併せて、モバイルデバイスから受信されたユーザの視聴プロファイルデータに基づいてアクセスデバイスによって、再生されることができる。望ましくは、アクセスデバイス上でコンテンツを選択するユーザのプロファイルを更新するためにモバイルデバイス上で見られたコンテンツを用いることに加えて、モバイルデバイスは、モバイルデバイスの近接を検出することによってアクセスデバイスを現在使用するユーザを識別するためのトークンとして更に用いられることができる。
【００１１】
他の態様において、一般のユーザまたは世帯の視聴の好みと関連づけられたユーザプロファイルは、モバイルデバイスに転送されることができる。モバイルデバイスは、モバイルデバイス上での表示のためのコンテンツを選択するために転送された視聴プロファイルデータを使用することができる。例えば、アクセスデバイス上での視聴パターンに基づいて、モバイルデバイスは、広告または他のコンテンツを識別し、再生することができる。例えば、広告または映画の予告編は、単独でまたは広告のために挿入ポイントをつけられたマルチメディアコンテンツと併せて、アクセスデバイスから受信されたユーザプロファイルに基づいてモバイルデバイスによって、再生されることができる。
【００１２】
図１は、分配システム１１０によって１つ以上のコンテンツプロバイダ１１２からモバイルデバイス１０２に及びアクセスデバイス１０４に放送プログラミングを供給する一例のシステム１００を示すブロック図である。単一のモバイルデバイス１０２及びアクセスデバイス１０４が図１において示されているが、システム１００の例は、任意の数のモバイルデバイス１０２を使用するように構成されることができる。システム１００はまた、分配システム１１０及びコンテンツプロバイダ１１２を含む。分配システム１１０は、コンテンツプロバイダ１１２からコンテンツ項目を表現するデータを受信することができる。コンテンツ項目は、有線または無線同報通信リンク１０８を使って通信されることができる。１つの態様において、通信リンク１０８は、高速またはブロードバンドリンクである。１つの態様において、コンテンツプロバイダ１１２は、同じまたは異なる通信リンクによって、分配システム１１０をバイパスして、モバイルデバイス１０２またはアクセスデバイス１０４（図１において示されない）に対して直接にコンテンツを通信することができる。他の態様において多数のコンテンツプロバイダ１１２がモバイルデバイス１０２に対して多数の分配システム１１０によってコンテンツ項目を供給することができるということは認識されるべきである。
【００１３】
図１の例のシステム１００において、同報通信リンク１０８は、一方向のネットワークとして示されている。しかしながら、同報通信リンク１０８はまた、多くのクライアントにデータを放送する完全に対照的な双方向のネットワークであることができる。例えば、１つの態様、同報通信リンク１０８は、インターネットプロトコル（ＩＰ）または類似したネットワークを使ってブロードキャストまたはマルチキャストデータパケットを備える。代替的に、同報通信リンク１０８は、多くの同時ポイントツーポイントＩＰリンクによって通信するように構成されることができる。同報通信リンク１０８は、１つ以上のイーサネット（登録商標）、電話（例えば、ＰＯＴＳ）、ケーブル、電力線、及び光ファイバシステム、及び／または１つ以上の符号分割多元接続（ＣＤＭＡまたはＣＤＭＡ２０００）通信システム、周波数分割多元接続（ＦＤＭＡ）システム、ＧＳＭ／ＧＰＲＳ（汎用パケット無線システム）／ＥＤＧＥ（改良されたデータＧＳＭ環境）のような時分割多重接続（ＴＤＭＡ）システム、ＴＥＴＲＡ（地球のトランクされた無線）携帯電話システム、広帯域符号分割多元接続（ＷＣＤＭＡ）システム、高データレート（１ｘＥＶ−ＤＯまたは１ｘＥＶ−ＤＯゴールドマルチキャスト）システム、ＩＥＥＥ８０２．１１システム、ＭｅｄｉａＦＬＯシステム、ＤＭＢシステム、直交周波数分割多重接続（ＯＦＤＭ）システム、またはＤＶＢ−Ｈシステムを備える無線システムを備えることができる。１つの態様において、モバイルデバイス１０２及びアクセスデバイス１０４の１つまたは両方において、同報通信リンク１０８は、放送テレビジョンネットワークを含むことができる。例えば、モバイルデバイス１０２及び／またはアクセスデバイス１０４の１つまたは両方は、ＡＴＳＣデジタルテレビジョン信号またはＱＡＭデジタルケーブルテレビジョン信号のような放送テレビジョンシステムから放送を受信するように構成されることができる。
【００１４】
例のシステム１００において、モバイルデバイス１０２及びアクセスデバイス１０４の１つまたは両方はまた、第２の通信リンク上で通信するように構成されている。通信リンク１０６は、通信リンク１０８に関して上述されたような１つ以上の有線または無線ネットワークを含むことができる。１つの態様において、第２の通信リンク１０６は、例のシステム１００において示されているように２つの方法の通信リンクである。しかしながら、リンク１０６はまた、分配システム１１０及び／またはコンテンツプロバイダ１１２に対するモバイルデバイス１０２からの第２のリンクを備えることができる。第２の通信リンク１０６はまた、音声トラフィック及び／またはデータトラフィックを通信するように構成された無線ネットワークであることができる。通信リンク１０６は、分配システム１１０及びモバイルデバイス１０２の間でコンテンツ項目または他のプログラムガイド及び他のデータを通信することができる。
【００１５】
モバイルデバイス１０２及びアクセスデバイス１０４の各々は、それぞれ、同報通信リンク１０８を使って受信されたコンテンツ項目を与えるように構成されている、レンダリングモジュール１２２及び１３０を含むことができる。レンダリングモジュール１２２及び１３０は、アナログ／デジタル技術を含むことができる。レンダリングモジュール１２２及び１３０は、ＭＰＥＧ−ｘおよびＨ．２６ｘ基準のような国際基準に基づく符号化／復号方法を用いて、ビデオエンコーダ／デコーダのような、１つ以上のマルチメディア信号処理システムを含むことができる。このような符号化／復号方法は、一般に、送信及び／または記憶のためにコンテンツ内容を圧縮することに向けて導かれる。
【００１６】
コンテンツ項目をモバイルデバイス１０２及び／またはアクセスデバイスに通信することに加えて、分配システム１１０はまた、プログラムガイドサービス１２６を含むことができる。プログラムガイドサービス１２６は、コンテンツプロバイダ１１２及び／または他の資源からプログラムスケジュール及びコンテンツ関連データを受信し、電子プログラミングガイド（ＥＰＧ）１２４を定義することを表現するデータをモバイルデバイス１０２へ通信し、またはアクセスデバイス１０４のＥＰＧ１３２を通信する。ＥＰＧ１２４及び／または１３２は、同報通信リンク１０８を使って受信されるために利用可能な多数のコンテンツ項目の放送スケジュールと関連したデータを含むことができる。ＥＰＤデータは、コンテンツ項目のタイトル、開始及び終了時間、コンテンツ項目のカテゴリ分類（例えば、スポーツ、映画、コメディ等）、品質評価、成人のコンテンツ評価等を含むことができる。ＥＰＧ１２４及び１３２はまた、同報通信リンク１０８を使ってモバイルデバイス１０２またはアクセスデバイス１０４に通信されることができ、モバイルデバイス１０２に記憶されることができる。
【００１７】
１つの態様において、モバイルデバイス１０２及びアクセスデバイス１０４は、Ｂｌｕｅｔｏｏｔｈ（登録商標）トランシーバ、無線イーサネット（例えば、８０２．１１ａ，ｂ，ｇ，またはｎ）、超広帯域トランシーバ、ＩＲＤＡトランシーバ、または任意の他の適切なリンクのような近距離無線リンク１０９によって通信するように構成されている。１つの態様において、アクセスデバイス１０４は、例えば、近距離無線リンク１０２を経てモバイルデバイス１０２を検出することによって、モバイルデバイス１０２の物理的近接を導くように構成されている。
【００１８】
モバイルデバイス１０２及びアクセスデバイス１０４の各々は、それぞれ、ユーザによる視聴のために選択されたコンテンツ項目を示す情報及びユーザのプロファイルを記憶するように構成されている、プロファイルデータベース１２８及び１３４を備えることができる。例えば、プロファイルデータベース１２８及び１３４は、ユーザによって見られる、記録される、またはそうでなければアクセスされる１つ以上のコンテンツ項目を示すデータを記憶することができる。その上、モバイルデバイス１０２及びアクセスデバイス１０４は、各々のデバイス上でユーザプロファイルを同期させるために互いにアクセスされたコンテンツ項目を示すデータを通信することができる。プロファイルは、アクセスされたコンテンツ項目、アクセスされたコンテンツ項目と関連づけられたカテゴリ、アクセスされたコンテンツ項目の経過した視聴時間、及びコンテンツ項目と関連づけられたチャネルを示すデータに基づいて更新されることができる。特別のユーザがデバイスに対して識別されないとき、アクセスデバイス１０４の中のプロファイルデータベース１３４は、使用のために特別のユーザ、世帯、またはデフォルトのプロファイルのためのプロファイルを含むことができる。デフォルトのプロファイルは、このようなアクセスデバイス１０４の特別のユーザについての視聴者層または他のデータに基づくことができる。１つの態様において、デフォルトのプロファイルは、デバイス１０４またはデバイス１０２の他のユーザについてデータを集合する世帯プロファイル及び／またはデバイス１０４またはデバイス１０２の識別されないユーザからデータを集合する世帯プロファイルを備える。１つの態様において、アクセスデバイス１０４がモバイルデバイス１０２を検出するとき、例えば、モバイルデバイス１０２が通信リンク１０９を登録し、または通信リンク１０９にアクセスしているとき、アクセスデバイス１０４は、モバイルデバイス１０２によって識別された特別のユーザのためにプロファイルを識別する。モバイルデバイス１０２のプロファイルデータベース１２８からのデータは、アクセスデバイス１０４のプロファイルデータベース１３４において識別されたプロファイルを更新するアクセスデバイス１０４に対して通信される。
【００１９】
上述したように、１つの態様において、アクセスデバイス１０４は、通信リンク１０９にアクセスするモバイルデバイスに基づいてモバイルデバイス１０２を検出するように構成されることができる。別の態様において、モバイルデバイス１０２は、例えばＧＰＳまたは地理位置情報システムによって、アクセスデバイス１０４の位置に対して近接であるとしてその位置を識別し、アクセスデバイス１０４とのデータ接続を開始する。このような態様において、データ接続は、近距離通信リンク１０９、通信リンク１０６、またはインターネットのような任意の他のネットワークによることができる。１つの態様において、モバイルデバイス１０２は、バッテリ２３１を充電する充電デバイスに対する接続に基づいて位置を識別することができる。
【００２０】
１度のまたは周期的な登録処理は、特別のモバイルデバイス１０２のユーザをアクセスデバイス１０４の１つ以上のプロファイルと関連させるために用いられることができる。１つの態様において、このような処理は、登録されていないモバイルデバイス１０２が検出されたときに開始される。アクセスデバイス１０４は、このような結合を設立するためにインタフェースで応答することができる。
【００２１】
当業者は、ここで記述された態様に関して記述された様々な実例となる論理ブロック、モジュール、回路、及びアルゴリズムステップが電子ハードウェア、コンピュータソフトウェア、または両方の組み合わせとして実現されることができるということを認識するであろう。ハードウェア及びソフトウェアのこの互換性を明らかに示すために、様々な実例となる構成要素、ブロック、モジュール、回路、及びステップは、一般に機能性の点から上述されている。このような機能性がハードウェアまたはソフトウェとして実現されているかどうかは、総合体系上で課される設計制約及び特別のアプリケーションに依存する。当業者は、各々の特別のアプリケーションのために変わる方法において記述された機能性を実現することできるが、このような実現の決定は、本発明の範囲からの逸脱を生じるとして解釈されるべきではない。
【００２２】
ここで記述された態様に関して記述された様々な実例となる論理ブロック、モジュール、及び回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラム可能論理回路、ディスクリートなゲートまたはトランジスタロジック、ディスクリートなハードウェア構成要素、またはここで記述された機能を実行するように設計されたこれらの任意の組み合わせを用いて実現される、または実行されることができる。汎用プロセッサは、マイクロプロセッサであることができ、しかし別の方法では、プロセッサは、任意の従来のプロセッサ、コントローラ、マイクロコントローラ、または状態機械であることができる。プロセッサはまた、コンピューティングデバイス、例えばＤＳＰ及びマイクロプロセッサの組み合わせ、多くのマイクロプロセッサ、ＤＳＰコアと併せた１つ以上のマイクロプロセッサ、または任意の他のこのような構成の組み合わせとして実現されることができる。
【００２３】
ここで記述された態様に関して記述された方法またはアルゴリズムのステップは、ハードウェアにおいて、プロセッサによって実行されるソフトウェアモジュールにおいて、または、その２つの組み合わせにおいて直接に具体化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、またはその技術において知られている記憶媒体の任意の他の形式において存することができる。例示的な記憶媒体は、プロセッサが記憶媒体から情報を読み込むことができ、記憶媒体に情報を書き込むことができるようなプロセッサにつながれる。代替において、記憶媒体は、プロセッサに不可欠であるかもしれない。プロセッサ及び記憶媒体は、ＡＳＩＣの中に存する。ＡＳＩＣは、ユーザ端末の中に存する。別の方法では、プロセッサ及び記憶媒体は、ユーザ端末の中の離散構成要素として存する。
【００２４】
図２は、図１に示されるようなモバイルデバイス１０２の一例を示すブロック図である。デバイス１０２は、モバイルハンドセット、パーソナルデジタルアシスタント、ラップトップコンピュータ、ヘッドセット、車両ハンズフリーデバイス、または任意の他の電子デバイスのうちの少なくとも１つを備えることができる。例えば、ここで教示される１つ以上の観点は、電話（例えば、セルラー電話）、パーソナルデータアシスタント（“ＰＤＡ”）、エンターテイメントデバイス（例えば、ミュージックまたはビデオデバイス）、ヘッドセット（例えば、ヘッドホン、イヤホン等）、マイクロホン、または任意の他の適切なデバイスに組み入れられることができる。デバイスモバイル１０２は、同報通信リンク１０８を使って通信するネットワークインタフェース２０８及びメモリ２０４と通信しているプロセッサ２０２を含む。ネットワークインタフェース２０８は、一方向の同報通信リンク１０８を使ってデータを受信するように構成されている受信機２２４を含む。ネットワークインタフェース２０８及び受信機２２４は、ネットワーク１０８に関して上述されたような１つ以上の有線または無線システムに従って信号を受信することができる。
【００２５】
メモリ２０４は、揮発性及び不揮発性ストレージの１つまたは両方を備えることができる。例えば、メモリ２０４は、１つ以上のダイナミックまたはスタティックランダムアクセスメモリ（ＲＡＭ）、フラッシュメモリ、ディスクドライブ、または任意の他の適切なストレージを備えることができる。１つの態様において、メモリ２０４は、モバイルデバイスのユーザに対して可能な興味があるとして識別されたコンテンツ項目のパターンを示す経験則によるまたは他のデータ及び以前に見られたコンテンツ項目の記録の１つ以上を備えるユーザプロファイルデータを記憶するように構成されている。
【００２６】
モバイルデバイス１０２は、第２の双方向の通信リンク１０６によって通信するためのオプションの第２のネットワークインタフェース２０６を含むことができる。ネットワークインタフェース２０６は、通信リンク１０６及び１０８に関して上述されたネットワークシステムの１つ以上を用いて第２の通信リンク１０６を使って１つ以上のデバイスと通信するように構成されている送信機２２２、受信機２２０及び任意の適切なアンテナ（示さない）を含むことができる。オプション的に、ネットワークインタフェース２０６はまた、プロセッサ２０２の処理する必要条件を減少させるための処理能力を有することができる。
【００２７】
デバイス１０２はまた、ディスプレイ２１０、キー、タッチスクリーン、または他の適切な触知できる入力装置のようなユーザ入力装置２１２、通信リンク１０６を使って受信された信号に基づいて可聴出力を供給するのに適したトランスジューサを備えるラウドスピーカー２１４及び／または通信リンク１０６及び１０８の１つまたは両方を使って送信されることができる信号の可聴入力を供給するのに適したトランスジューサを備えるマイクロホン２１６の１つ以上を含む。
【００２８】
デバイス１０２は、デバイス１０２の１つ以上の構成要素に対して電力を供給するためのバッテリ２３１をオプション的に含む。
【００２９】
ここで記述された構成要素は、様々な方法において実現されることができる。図２を参照すると、デバイスまたは装置１０２は、例えばプロセッサ２０２、ソフトウェア、それらのいくつかの組み合わせによって、またはここで教示されたようないくつかの他の方法において実現される機能を表現することができる一連の相互関係がある機能ブロックとして表現される。プロセッサ２０２及び他の示されたブロックの１つ以上は、１つ以上の集積回路として実現されることができる。更に、送信機２２２は、別のデバイスに情報を送信することと関係がある様々な機能性を供給する送信するためのプロセッサを備えることができる。受信機２２０は、別のデバイスから情報を受信することと関係がある様々な機能性を供給する受信するためのプロセッサを備えることができる。
【００３０】
モバイルデバイス１０２は、通信リンク１０６及び１０８の１つまたは両方から同時にデータを受信するように構成されることができる。１つの態様において、ネットワークインタフェース２０６は、アクセスデバイス１０４を近距離無線リンク１０９を使って通信するように構成されることができる。
【００３１】
図３は、図１に示されるようなアクセスデバイス１０４の一例を示すブロック図である。アクセスデバイス１０４は、ケーブル、衛星、ファイバ、無線、テレビジョンまたは他の放送ネットワークとディスプレイデバイスをインタフェースで接続するセットトップボックスを備えることができる。アクセスデバイス１０４は、デジタルビデオレコーダ、ビデオ再生デバイス、及び／またはネットワークビデオストレージまたはストリーミングネットワーク再生デバイスを備えることができる。アクセスデバイス１０４は、同報通信リンク１０８を使って通信するネットワークインタフェース３０８及びメモリ３０４と通信しているプロセッサ３０２を含む。ネットワークインタフェース３０８は、一方向の同報通信リンク１０８を受信するように構成されている受信機３２４を含む。ネットワークインタフェース３０８及び受信機３２４は、モバイルデバイス１０２の受信機２２４に関して上述されたように有線または無線ネットワークプロトコルに従って信号を受信することができる。更に、１つの態様において、ネットワークインタフェース３０８は、ＡＴＳＣデジタルテレビジョン信号またはＱＡＭデジタルケーブルテレビジョン信号のような放送テレビジョンシステムから放送を受信するように構成されている受信機を備えることができる。１つの態様において、ネットワークインタフェース３０８は、２つの方法のデジタルケーブルシステムの例におけるような双方向である。
【００３２】
アクセスデバイス１０４は、第２の双方向の通信リンク１０６によって通信するためのオプションの第２のネットワークインタフェース３０６を含むことができる。第２のネットワークインタフェース３０６は、例示的なデバイス１０４が第２の通信リンク１０６を使って１つ以上のデバイスと通信することができるように任意の適切なアンテナ（示されない）、受信機３２０及び送信機３２２を含むことができる。オプション的に、第２のネットワークインタフェース３０６はまた、プロセッサ３０２の処理する必要条件を減少させるための信号処理能力を有することができる。
【００３３】
メモリ３０４は、揮発性及び不揮発性ストレージの１つまたは両方を備えることができる。例えば、メモリ３０４は、ダイナミックまたはスタティックランダムアクセスメモリ（ＲＡＭ）、フラッシュメモリ、ディスクドライブ、または任意の他の適切なストレージの１つ以上を備えることができる。１つの態様において、メモリ２０４は、アクセスデバイスのユーザに対して可能な興味があるとして識別されたコンテンツ項目のパターンを示す経験則によるまたは他のデータ及び以前に見られたコンテンツ項目の記録の１つ以上の１つ以上備えるユーザプロファイルを記憶するように構成されている。
【００３４】
デバイス１０４は、リモート３３１をオプション的に含むことができる。アクセスデバイス１０４は、消費者ＩＲプロトコル、無線周波数インタフェース、または任意の他の適切なインタフェースを使用するようなインタフェースによってリモート３３１からコマンドを受信するように構成されることができる。
【００３５】
ここで記述された構成要素は、様々な方法において実現されることができる。図２を参照すると、デバイスまたは装置１０２は、例えばプロセッサ３０２、ソフトウェア、それらのいくつかの組み合わせによって、またはここで教示されたようないくつかの他の方法において実現される機能を表現することができる一連の相互関係がある機能ブロックとして表現される。プロセッサ３０２及び他の示されたブロックの１つ以上は、１つ以上の集積回路として実現されることができる。更に、送信機３２２は、別のデバイス１０４に情報を送信することと関係がある様々な機能性を供給する送信するためのプロセッサを備えることができる。受信機３２０は、別のデバイス１０４から情報を受信することと関係がある様々な機能性を供給する受信するためのプロセッサを備えることができる。
【００３６】
デバイス１０４は、通信リンク１０６及び１０８の１つまたは両方から同時にデータを受信するように構成されることができる。１つの態様において、ネットワークインタフェース３０６は、リモートデバイス１０２と通信するために近距離無線リンク１０９を使って通信するように更に構成されることができる。
【００３７】
図４は、アクセスデバイス１０４上で放送のコンテンツにアクセスするためのプロファイルを識別するためにモバイルデバイス１０２を用いる方法４００の一例を示すフローチャートである。方法４００は、アクセスデバイス１０４がモバイルデバイス１０２の物理的近接を検出するブロック４０２で開始する。１つの態様において、アクセスデバイス１０４は、通信リンク１０９のような近距離通信リンクによって受信された信号に基づいてモバイルデバイス１０２の物理的近接を検出する。１つの態様において、アクセスデバイス１０４は、通信リンク１０９のような指定されたネットワークを使ってデータを受信することに基づいてモバイルデバイス１０２の物理的近接を検出する。アクセスデバイス１０４は、通信リンク１０９、例えばケーブルの使用のため物理的近接を意味するＵＳＢのような有線インタフェース、またはこのような無線ネットワークの典型的な範囲（例えばＢｌｕｅｔｏｏｔｈのための約１０メートル及び無線イーサネットのための１００メートル）のため物理的近接をまた意味するＢｌｕｅｔｏｏｔｈまたは無線イーサネット／８０２．１１のような無線ローカルネットワークリンクのタイプに基づいてモバイルデバイス１０２を検出することができる。１つの態様において、アクセスデバイス１０４は、既知の、例えば固定された、位置またはアドレスを有することができ、例えばＧＰＳ、信号の三角測量、または他の適切な地理位置情報方法に基づいて、モバイルデバイスの位置を供給するモバイルデバイス１０２からデータ信号を受信することに基づいてモバイルデバイス１０２の近接を検出することができる。
【００３８】
次にブロック４０４で、アクセスデバイス１０４は、モバイルデバイス１０２のユーザを識別するモバイルデバイス１０２からデータを受信する。１つの態様において、データは、例えば、ユーザの名前の１つ以上、登録プロセスの部分としてモバイルデバイス１０２及びアクセスデバイス１０４の間で以前に共有された固有の識別子、またはアクセスデバイス１０４のプロファイルデータベース１３４によってアクセスデバイス１０４のユーザと関連づけられているモバイルデバイス１０２の識別子を備えることができる。
【００３９】
ブロック４０６に進むと、アクセスデバイス１０４は、ユーザを識別するデーに基づいて、例えばアクセスデバイス１０４のプロファイルデータベース１３４において、少なくとも１つのローカルプロファイルを識別する。１つの態様において、アクセスデバイス１０４は、利用可能なユーザの既存のローカルプロファイルかどうかを決定する。ユーザのローカルプロファイルが利用不可能である場合、アクセスデバイス１０４は、ユーザのためにデフォルトのローカルプロファイルを生成することができる。例えば、アクセスデバイス１０４は、少なくとも１つの他のローカルプロファイルに基づいてデフォルトのローカルプロファイルを生成することができる。他のローカルプロファイルは、アクセスデバイス１０４の別のユーザのためであるかも知れないし、または世帯プロファイルを含むかもしれない。世帯プロファイルは、アクセスデバイス１０４の他のユーザの集合であるかもしれないし、識別されたユーザがいないときには関連づけられているコンテンツ項目に基づくプロファイルであるかもしれないし、または多数の識別されたユーザがいるときには関連づけられたコンテンツ項目に基づくプロファイルであるかもしれない。１つの態様において、アクセスデバイス１０４は、特別のモバイルデバイス１０２がアクセスデバイスに近接しておらず、その一方でアクセスデバイス１０４が用いられているということを識別することによって消去のプロセスに基づいてプロファイルを識別することができる。
【００４０】
次にブロック４０８で、アクセスデバイス１０４は、ユーザによってアクセスされた少なくとも１つのコンテンツ項目を識別する。１つの態様において、識別されたコンテンツ項目は、モバイルデバイス１０２によって以前に識別されたもの及びモバイルデバイス１０２から受信されたデータに基づいて識別されたものである。識別されたコンテンツ項目は、例えば、プレイしているまたは見ているマルチメディアコンテンツ項目、部分だけがアクセスされたマルチメディアコンテンツ項目、またはパーソナルビデオレコーダ機能によって見られた及び／またはストレージのためにマークしているマルチメディアコンテンツ項目を含むことができる。１つの態様において、識別されたコンテンツ項目のアクセスは、アクセスデバイス１０４上またはモバイルデバイス１０２上である。多数の識別されたユーザは、（例えば、多数のモバイルデバイス１０２が検出している）アクセスデバイスに近接しているとき、両方のユーザのプロファイルまたは世帯またはデフォルトのプロファイルは、更新されることができる。代替的に、または加えて、多数の識別されたユーザがアクセスデバイス１０４に近接しているとき、選択された基準は、例えば、最初に近接したユーザ、最も長い時間近接したユーザ、最も最近近接したユーザなどを識別するために用いられることができる。
【００４１】
ブロック４１０に進むと、アクセスデバイス１０４は、識別されたコンテンツ項目に基づいてローカルプロファイルを更新する。１つの態様において、更新されたローカルプロファイルは、アクセスデバイス１０４のプロファイルデータベース１３４に戻って記憶される。アクセスデバイス１０４は、様々な経験則によるまたは他の規則またはデータに基づいてローカルプロファイルを行進することができる。例えば、アクセスデバイス１０４は、識別されたコンテンツ項目、識別されたコンテンツ項目と関連づけられたカテゴリ、識別されたコンテンツ項目の経過した視聴時間、及び識別されたコンテンツ項目と関連づけられたチャネルのうちの少なくとも１つに基づいてローカルプロファイルを更新することができる。１つの態様において、アクセスデバイス１０４は、モバイルデバイス１０２に対してローカルであるプロファイルデータベース１２８におけるストレージのためにモバイルデバイス１０２に対して更新されたローカルプロファイルを通信する。
【００４２】
そのように更新されたユーザプロファイルは、様々な方法において用いられることができる。例えば、アクセスデバイス１０２（またはそのプロファイルデータベース１２８の中のプロファイルに基づくモバイルデバイス１０２）は、記憶される、プレイされる、見られる、またはそうでなければ関連づけられるべきプロファイルに少なくとも部分的に基づいて少なくとも１つのマルチメディアコンテンツ項目を選択することができる。例えば、プロファイルは、異なるカテゴリにおいて見られたコンテンツのカウントまたはパーセンテージを記憶する経験則を備えることができる。マルチメディアコンテンツ項目を関連づけられた１つ以上のカテゴリを示すデータに基づいて、アクセスデバイス１０２は、特別のプロファイルにおいて最も高いカウントまたはパーセンテージのカテゴリと関連づけられているコンテンツ項目を選択することができる。１つの態様において、広告を含む、コンテンツ項目は、プロファイルに基づいてコンテンツを選択することを適用するために規則または経験則を示すデータをつけられることができる。例えば、（例えば、キャンピング関連製品）１つのカテゴリにおいて広告は、特別なコンテンツ項目の最近のまたは頻繁に見る人を選択する規則をつけられることができる。
【００４３】
プロファイルはまた、モバイルデバイス１０２上で記憶された他の情報に基づいて更新されることができる。例えば、訪問されたウェブサイト、モバイル呼出しパターン、モバイルナビゲーション宛先及びルート、または他のモバイルデバイスアクティビティ上の情報は、モバイルデバイスのユーザのためにアクセスデバイス１０２上でプロファイルを更新するために用いられることができる。例えば、広告は、最近のまたは頻繁なナビゲーションアドレス及び／または郵便番号、または頻繁にダイヤルされる局番／加入区域に基づいてローカルの広告社のために選択されることができる。
【００４４】
１つの態様において、選択されたマルチメディア項目は、ユーザによるアクセスのための提案としてユーザインタフェースによってユーザに対して示されることができる。プロファイルは、ユーザが提案されたコンテンツにアクセスするかどうかに基づいて更新されることができる。例えば、ユーザがそれらのモバイルデバイス上でカレッジのバスケットボールの試合またはハイライト（または特別なチームの試合）を頻繁に見る場合、アクセスデバイス１０４は、アクセスのための他の関連コンテンツ項目（例えば、そのチームの他の試合）を提案する。
【００４５】
１つの態様において、ユーザプロファイルは、コンテンツ項目に近接した状態にあるための少なくとも１つの広告を選択するために少なくとも部分的な基礎として用いられることができる。例えば、コンテンツ項目の特別なカテゴリの過去の視聴に基づいて、アクセスデバイス１０４またはモバイルデバイス１０２は、コンテンツ項目に近接した状態にあるための広告を選択することができる。１つの態様において、（例えば、関連情報の不足または現在のユーザの識別の不足のために）適切なプロファイルが存在しない場合、アクセスデバイスは、少なくとも１人の他のユーザのローカルプロファイルを識別し、そのプロファイルに少なくとも部分的に基づいてマルチメディアコンテンツ項目に近接した状態にあるための少なくとも１つの広告を選択することができる。１つの態様において、選択されたコンテンツ項目は、“トリックプレー”、例えば早送り、早戻し、または別のコンテンツ項目を通る他の走査の間にプレイされるかも知れない。例えば、アクセスデバイス１０４のパーソナルビデオレコーダの態様において、選択された広告は、ユーザがコンテンツ項目を通って早送りする間（例えば、ユーザが記憶された広告を通って早送りするとき）、ディスプレイの少なくとも一部分においてプレイされる。ターゲットとされた及び／またはよりタイムリーな広告は、識別されたプロファイル及び特別なコンテンツ項目に伴う再生の間に広告の代わりに最初にプレイされた放送に基づいて選択されることができる。
【００４６】
その態様に依存して、ここで記述された方法のいずれかのある行為またはイベントは、異なるシーケンスにおいて実行されることができ、全て一緒に加えられ、併合され、または省略されることができる（全ての記述された行為またはイベントはその方法の実行にとって必要でない）ということは認識されるべきである。更に、ある態様において、行為またはイベントは、例えばマルチスレッデッド処理、割り込み処理、または多数のプロセッサを通って、連続的というよりむしろ、同時に実行されることができる。
【００４７】
上記のことを考慮して、発明がアクセスデバイスのユーザのためにコンテンツを選択するまたは提案するための使用にユーザプロファイルを識別する方法を供給し、及び／またはこのようなプロファイルを更新する付加的なデータを供給するということを誰でも認識するであろう。
【００４８】
上記の詳細な記述は、様々な態様に適用されるとして発明の新しい特徴を示し、記述し、示しているが、示されたデバイスまたはプロセスの形式及び詳細における様々な省略、代用及び変更が発明の精神から外れることなく当業者によって作られるということは理解されるであろう。認識されるように、いくつかの特徴が他とは別に使用され、実行されることができるので、本発明は、ここで前に示された特徴及び利益の全てを供給しない形式内で具体化されることができる。発明の範囲は、前の記述によってというよりむしろ添えられた特許請求の範囲によって示されている。特許請求の範囲の同等の意味及び範囲内に生じる全ての変更は、それらの範囲内で包含されるべきである。
【図１】
2011517149.tif 000003
【図２】
2011517149.tif 000004
【図３】
2011517149.tif 000005
【図４】
2011517149.tif 000006
【国際調査報告】
2011517149.tif 000007
2011517149.tif 000008
2011517149.tif 000009